(57)【要約】【課題】びん封緘用キャップの頂壁部に点字を表示することにより、視覚障害者にも内容物に関する情報を認識することができ、しかも上方からの圧力に対して点字が押し潰されることがない点字付びん封緘用キャップを提供する。【解決手段】頂壁部２に上方膨出状に点字４が一体的に形成されている。頂壁部２における点字４の周囲に点字４と同高ないし点字４より高い、防護膨出部５が一体的に形成されてなる。防護膨出部５は、頂壁部２の外周に連続する環状の膨出部により構成される。【選択図】　　図２
0003097871.tif 000002
【実用新案登録請求の範囲】
【請求項１】
頂壁部に上方膨出状に点字が一体的に形成された点字付びん封緘用キャップであって、
前記頂壁部における前記点字の周囲に、前記点字と同高ないし前記点字より高い防護膨出部が一体的に形成されてなることを特徴とする点字付びん封緘用キャップ。
【請求項２】
前記防護膨出部は、前記点字の高さより０．３ｍｍ以下の範囲内で相対的に高く設定されてなる請求項１に記載の点字付きびん封緘用キャップ。
【請求項３】
前記防護膨出部は、前記頂壁部の外周に連続する環状の膨出部により構成される請求項１または請求項２のいずれかに記載の点字付きびん封緘用キャップ。
【考案の詳細な説明】
【０００１】
【産業上の利用分野】
この考案は、酒類、その他飲料の包装用びんの封緘用に使用されるアルミニウム製その他の金属製または合成樹脂製のキャップに関する。
【０００２】
【従来の技術とその課題】
一般にこの種のびん封緘用キャップには、内容物の種類や商標名等の内容物に関する情報が印刷の手段により表示されているのが普通である。
【０００３】
ところが、このような印刷の手段による表示がなされたびん封緘用キャップは、内容物に関する情報が視覚により認識されるものであることから、購買者が健常者であることを前提としたものであり、購買者が視覚障害者である場合に前記情報を認識することができないものであった。
【０００４】
そこで、この考案者らは、近時ことに重要視されている視覚障害者に対する配慮という社会的要請に鑑み種々考究した結果、びん封緘用キャップの頂壁部に、内容物に関する情報が点字により表示されている点字付きびん封緘用キャップを着想するに至った。
【０００５】
すなわち、円板状の頂壁部の周縁から下方に延びる筒状の周壁部を有する縦断面下向きコ字状に形成されたびん封緘用キャップの頂壁部に、０．２〜１．０ｍｍ程度の高さの点字が上方膨出状に形成されている点字付きびん封緘用キャップを着想するに至った。
【０００６】
この点字付きびん封緘用キャップによれば、内容物に関する情報が点字で表示されていることから、視覚障害者も前記情報を認識することができ、また前記点字が頂壁部に表示されていることから、視覚障害者にとって認識し易いという利点がある。
【０００７】
しかしながら、前記着想を製品化する過程において、点字付きびん封緘用キャップをびん口部に巻き締める際に、頂壁部に表示された点字が押し潰される場合があることがわかった。
【０００８】
すなわち、点字付びん封緘用キャップをネジ部を有するびん口部に取り付けるには、前記キャップをびん口部に被嵌させた後、頂壁部に上方から圧力を加えながら、周壁部にロールを押し付けて、びん封緘用キャップの周囲を回転させ、びんのネジ部の溝に沿ってキャップの周壁部を巻き締める必要がある。そして、その際に封緘用キャップの頂壁部に加えられる圧力は、通常、９０〜１３０ｋｇ／ｃｍ２に達し、該圧力が点字に集中されることとなるため、前記点字が押し潰される虞があるという問題点があることがわかった。
【０００９】
この考案は、上記のような問題点に鑑み、びん封緘用キャップの頂壁部に点字を表示することにより、視覚障害者が内容物に関する情報を認識することができ、しかも上方からの圧力に対して点字が押し潰されることがない点字付びん封緘用キャップを提供することを目的とする。
【００１０】
【課題を解決するための手段】
この考案は、上記の目的において、頂壁部に上方膨出状に点字が一体的に形成された点字付びん封緘用キャップであって、前記頂壁部における前記点字の周囲に前記点字と同高ないし前記点字より高い、防護膨出部が一体的に形成されてなることを特徴とする点字付びん封緘用キャップを要旨とするものである。
【００１１】
この考案によれば、頂壁部に上方膨出状に点字が一体的に形成されているので、視覚障害者がびんの内容物に関する情報を認識することができる。しかも、前記点字が頂壁部に形成されているので、比較的容易に点字が表示された場所を認識することができる。また、前記点字の周囲に前記点字と同高ないし前記点字より高い、防護膨出部が形成されてなるので、該防護膨出部に上方からの荷重の一部または全部が作用し、点字に作用する荷重が軽減または除去され、巻き締めの際に頂壁部に作用する圧力により点字が押し潰されるという事態を回避することができる。しかも、点字及び防護膨出部がびん封緘用キャップと一体的に形成されてなるので、びん封緘用キャップの製造の際に同時に形成することができ、簡単かつ効率的に点字付きびん封緘用キャップを製造することができる。
【００１２】
また、前記防護膨出部が、前記点字の高さより０．３ｍｍ以下の範囲内で相対的に高く設定されてなる場合には、点字に殆ど荷重が作用しない一方、視覚障害者が頂壁部に表示された点字を読みとる際に防護膨出部がその妨げとなることもない。
【００１３】
さらに、前記防護膨出部が、前記頂壁部の外周に連続する環状の膨出部により構成されている場合には、防護膨出部の形成される位置及び形態が点字と全く異なるので、視力障害者が頂壁部に表示された点字を読みとる際に点字と防護膨出部を混同することもない。
【００１４】
【考案の実施の形態】
以下、この考案に係る点字付びん封緘用キャップを図示実施例に基づいて説明する。
【００１５】
この考案に係る点字付びん封緘用キャップ（１）は、図１ないし図３に示すように、アルミニウム製薄板の深絞り成形加工品であり、円板状の頂壁部（２）の周縁から下方に延びる筒状の周壁部（３）を有する縦断面下向きコ字状に形成されている。
【００１６】
前記頂壁部（２）には、図２に示すように、０．２〜１．０ｍｍ程度の高さの点字（４）が上方に膨出して形成されている。この点字（４）は、キャップ（１）の深絞り加工の際に、頂壁部（２）の対応箇所を膨出させて形成されるものである。また頂壁部（２）における前記点字（４）の周囲には、連続する環状の防護膨出部（５）が一体的に形成されている。この防護膨出部（５）は、頂壁部（２）の外周部を膨出させて形成されるものであり、びん封緘用キャップ（１）の製造に際して点字（４）と同時に形成でき、その高さは前記点字（４）と同高、ないし点字（４）よりも高く設定されている。望ましくは、その高さを点字（４）より０．３ｍｍ以下の範囲内で相対的に高く設定されるのが良い。すなわち、この高さが点字（４）と同高である場合には、頂壁部（２）に作用する荷重の一部が点字（４）にも作用することから、荷重の大きさ如何により点字（４）が押し潰される虞があり、点字より０．３ｍｍ以上高くなると、該防護膨出部（５）が点字（４）を読みとる際の障壁となる虞があるため、望ましくない。さらに望ましくは、点字（４）より０．１ｍｍ程度高く設定されるのが良い。また、頂壁部（２）の内面下方に頂壁部（２）より若干径小の合成樹脂製パッキン（６）が設けられ、びん内部の気密性を確保することができるものとなされている。
【００１７】
一方、前記周壁部（３）の上部には、図１に示すように、滑り止め用の凹凸面部（７）が外周を廻って形成されていると共に、図２に示すように、内方に膨出してパッキン係止用膨出部（８）が形成され、該パッキン係止用膨出部（８）により前記パッキン（６）の下面周縁が支持されるものとなされている。また、本実施例におけるびん封緘用キャップ（１）は、周壁部（３）の下端部に薄肉のねじ切り可能部（９）を介してリング状折返し部（１０）が形成され、該リング状折返し部（１０）がびん口部（２１）の下端縁に係止されることにより不正開栓が防止される、いわゆるピルファープルーフキャップとして形成されている。
【００１８】
上記構成の点字付びん封緘用キャップ（１）は、従来のびん封緘用キャップと同様にして、巻き締めによりびん本体（２０）のびん口部（２１）に取り付けられる。すなわち、図３に示すように、先ず点字付きびん封緘用キャップ（１）をびん口部（２１）に被嵌した後、頂壁部（２）に上方から圧力を加え、びん本体（２０）及び点字付きびん封緘用キャップ（１）を固定する。この際、防護膨出部（５）は、巻き締め機の加圧部下面（図示せず）に押圧された状態にあり、荷重の一部または全部が作用している。そして、該加圧状態において溝のあるロール（図示せず）がびん封緘用キャップ（１）の周囲を押し付けながら回転し、びんのネジ部（２１ａ）の溝に沿ってキャップ（１）の周壁部（３）を巻き締める。また、巻き締めの際に前記リング状折返し部（１０）は、内方に折り込まれ、びん口部（２１）の下端縁に係止され、点字付きびん封緘用キャップ（１）全体が上方に移動されないようになされる。なお、該キャップ（１）の開栓は、これを開栓方向に強制的に回すことにより、ねじ切り可能部（９）が破断すると共にリング状折返し部（１０）の一部も破断し、前記キャップの上方への移動が開放され、容易に行うことができる。
【００１９】
以上のように、本実施例の点字付きびん封緘用キャップ（１）によれば、頂壁部（２）に点字（４）が上方に膨出して一体的に形成されているので、視覚障害者もびんの内容物に関する情報を認識することができる。しかも、点字（４）が頂壁部（２）に形成されているので、視覚障害者が点字（４）の場所を比較的容易に探し出すことができる。また、点字（４）と同高ないし点字（４）より高い環状の防護膨出部（５）が一体的に形成されているので、巻き締めの際に点字（４）に作用する荷重が軽減、或いは除去され、これに伴い点字（４）に作用する圧力が軽減、或いは除去されることから点字（４）が押し潰されることを防止することができる。しかも、防護膨出部（５）は、頂壁部（２）の外周部を膨出させて形成させたものであり、びん封緘用キャップ（１）の製造に際して点字（１）と同時に形成できるものであるので、低コストで簡単かつ効率的に点字付きびん封緘用キャップを製造することができる。また、防護膨出部（５）が、点字（４）より０．３ｍｍ以下の範囲内で相対的に高く設定されているものである場合には、視覚障害者が点字を読みとる際に邪魔にならない。さらに、防護膨出部（５）は連続する環状の膨出部として構成されているので、点字と明確に区別することができ、該防護膨出部を点字読みとりの際に点字と混同されることがない。
【００２０】
以上にこの考案に係る点字付きびん封緘用キャップ（１）の実施例を説明したが、本考案は上述した実施例に限定されるものでなく、本考案の趣旨を逸脱しない範囲において種々の変更が可能である。例えば、以下のような変更が可能である。
【００２１】
本実施例においては、連続する環状の防護膨出部（５）が形成された点字付きびん封緘用キャップ（１）を用いたが、防護膨出部（５）の形状はこれに限定されるものでなく、例えば方形枠状の防護膨出部や非連続の環状の防護膨出部などであっても良い。
【００２２】
また、びん封緘用キャップは、アルミニウム製のものに限らず、その他の金属製のもの、或いは合成樹脂からなるものであっても良い。
【００２３】
【考案の効果】
以上のように、この考案によれば、びん封緘用キャップの頂壁部に点字が上方膨出状に一体的に形成されているので、視覚障害者がびんの内容物に関する情報を認識することができる。しかも、点字が頂壁部に形成されているので、比較的容易に点字が表示された場所を認識することができる。
【００２４】
また、頂壁部における点字の周囲に、点字と同高ないし点字より高い防護膨出部が形成されているので、封緘時に加えられる上方からの荷重の一部、或いは全部が、該防護膨出部に作用する。従って、点字に作用する荷重が軽減、或いは除去されることとなるので、点字が押し潰されることを防止することができる。しかも、前記防護膨出部は点字付きびん封緘用キャップの頂壁部に一体的に形成されているので、前記キャップ製造時に防護膨出部を点字と同時に形成することができ、別途防護膨出部の形成工程を設ける必要がなく、低コストで簡単かつ効率的に本考案に係る点字付きびん封緘用キャップを製造することができる。
【００２５】
また、防護膨出部は、点字の高さより０．３ｍｍ以下の範囲内で相対的に高く設定されてなる場合には、防護膨出部が点字を読みとる際の障壁にならないという利点がある。
【００２６】
さらに、防護膨出部が、前記頂壁部の外周に連続する環状の膨出部により構成される場合には、防護膨出部が、点字と明確に区別されて認識され、視覚障害者が点字読みとりの際に点字と混同されることもないという利点がある。
【図面の簡単な説明】
【図１】この考案に係る点字付きびん封緘用キャップの一実施例を示す斜視図である。
【図２】図１のＩＩ−ＩＩ線断面図である。
【図３】この考案に係る点字付きびん封緘用キャップのびん口部への取付前の状態を示す斜視図である。
【符号の説明】
１…点字付きびん封緘用キャップ
２…頂壁部
３…周壁部
４…点字
５…防護膨出部
【図１】
0003097871.tif 000003
【図２】
0003097871.tif 000004
【図３】
0003097871.tif 000005